(57)【要約】      （修正有）【課題】仕切片にフィルムを巻き付け貼着し、仕切片とフィルムとの間に物品を保持するようにしたことにより内箱としての材料を少なくして物品の保持を確実にし、立脚部材を立体形状とすることにより強度のある物品保持手段を得る。【解決手段】物品保持部材、立脚部材及び可撓性フィルム部材とからなる折り畳み形成する緩衝用物品保持内箱において、該可撓性フィルム部材は物品保持部材のフィルム保持中央片の表面上を非貼着状態で被覆して該物品保持部材の表面と可撓性フィルム部材間を物品を保持する空間とし、フィルム保持中央片の左右方向には立脚部材となる立脚用側片及び立脚用連結片、上下方向には物品保持部材の厚みを形成するフィルム保持側片及びフィルム貼着裏片を各々連続形成し、立脚部材を物品保持部材に対して直交方向へ折り曲げ形成するための折曲部の両端縁とフィルム保持側片と立脚用連結片との交差する箇所に略菱形形状の切欠部を設けたことを特徴とする緩衝用物品保持内箱。【選択図】図６
0003133815.tif 000002
【実用新案登録請求の範囲】
【請求項１】
物品保持部材、立脚部材及び可撓性フィルム部材とからなる折り畳み形成する緩衝用物品保持内箱において、該可撓性フィルム部材は物品保持部材のフィルム保持中央片の表面上を非貼着状態で被覆して該物品保持部材の表面と可撓性フィルム部材間を物品を保持する空間とし、該フィルム保持中央片の左右方向には立脚部材となる立脚用側片及び立脚用連結片、上下方向には物品保持部材の厚みを形成するフィルム保持側片及びフィルム貼着裏片を各々連続形成し、該立脚部材を物品保持部材に対して直交方向へ折り曲げ形成するための折曲部の両端縁と該フィルム保持側片と立脚用連結片との交差する箇所に略菱形形状の切欠部を設けたことを特徴とする緩衝用物品保持内箱。
【請求項２】
フィルム保持中央片の上下方向に連続するフィルム保持側片及びフィルム貼着裏片を、その各々の折曲部をコ字型形状に折り曲げることによりフィルム保持中央片の裏面側に補強兼物品緩衝空間を構成してなることを特徴とする請求項１記載の緩衝用物品保持内箱。
【請求項３】
立脚部材となる左右の立脚用側片の各々の先端部に、外箱内側の底面及び壁下面と接する支持片を折曲部を介して連続形成してなることを特徴とする請求項１又は２記載の緩衝用物品保持内箱。
【請求項４】
立脚部材となる左右の立脚用側片の横幅を、先端側を長く、フィルム保持中央片側を短くし、全体を台形形状としたことを特徴とする請求項１乃至３のいずれか１に記載の緩衝用物品保持内箱。
【請求項５】
立脚部材となる左右の立脚用側片に連続形成した立脚用連結片に補強裏片を設け、該立脚用側片、立脚用連結片及び補強裏片を折曲部によりコ字型形状に折り曲げることにより立脚部材を補強形成してなることを特徴とする請求項１乃至４のいずれか１に記載の緩衝用物品保持内箱。
【請求項６】
可撓性フィルム部材は、その両端部を各々のフィルム貼着裏片において貼着してなることを特徴とする請求項１乃至５のいずれか１に記載の緩衝用物品保持内箱。
【考案の詳細な説明】
【技術分野】
【０００１】
本考案は、精密機械部品や製品或いは壊れやすい物品を簡単な衝撃緩衝手段となる内箱で保持し、該内箱を外箱に嵌め込むことにより破損させることなく搬送移動させることを可能とした緩衝用物品保持内箱に関する。
【背景技術】
【０００２】
従来より、壊れ易い物品は何等かの衝撃緩衝部材によって包み込むようにして搬送移動させている。その一つの手段として図７に示すように、物品配送用外箱Ａの中に配設される内箱Ｂに設けた可撓性合成樹脂フィルム（以下、単にフィルムという）Ｃ間に壊れ易い物品Ｗを挟持し、そのフィルムＣを衝撃緩衝手段とし、挟持した物品Ｗが外箱Ａの中空部Ｓに浮いた状態で内壁に衝突することがないように保持している。
【０００３】
しかし、従来の内箱Ｂに形成したフィルムＣは、内箱Ｂの開口部に架け渡すようにして固定されており、その二重フィルムＣ間に物品Ｗを収納しているため、搬送移動時において振動や衝撃を受けると該フィルムＣが大きく上下左右のあらゆる方向に揺れ、それに伴って物品Ｗも大きく揺れ、該開口部の縁部となる窓枠形成部Ｄが該フィルムＣによって強く引っ張られ、段ボール紙で形成されている該窓枠形成部Ｄを破損させてしまうことが多かった。また、それを原因として物品Ｗが毀損してしまうことも見受けられた。
【０００４】
更に、物品Ｗによっては該フィルムＣに大きな負担がかかり、その変形も大きくなり、フィルム自体の破裂とともに揺れによる物品の移動を許容するための大きな空間Ｓを準備しておく必要があり、内箱Ｂ及び外箱Ａが必要以上に大きなものとなっていた。
【０００５】
また、大きな開口部を支持するために外箱Ａの他に該外箱Ａとほぼ同様の箱状態となる内箱Ｂが必要となり、物品Ｗの搬送移動のために余分な材料を必要としていた。それらを受けて開口部のない仕切片程度の片状のものを折り曲げたものを内箱として使用し、該片とフィルムによって物品を保持するものが採用されているが、それらのものは共通して保持部材の強度が弱いという欠点があった。
【特許文献１】特許第３３０６４０５号公報
【考案の開示】
【考案が解決しようとする課題】
【０００６】
本考案は、上記欠点を解決するため窓枠形成部が生じる開口部を作ることなく仕切片にフィルムを巻き付け貼着し、仕切片とフィルムとの間に物品を保持するようにしたことにより内箱としての材料を少なくして物品の保持を確実にすると同時に、紙片を折り畳んで物品保持部材及びそれを支持する立脚部材を立体形状としたことにより強度のある物品保持手段を得ることを目的とするものである。
【課題を解決するための手段】
【０００７】
具体的な手段として、物品保持部材、立脚部材及び可撓性フィルム部材とからなる折り畳み形成する緩衝用物品保持内箱において、該可撓性フィルム部材は物品保持部材のフィルム保持中央片の表面上を非貼着状態で被覆して該物品保持部材の表面と可撓性フィルム部材間を物品を保持する空間とし、該フィルム保持中央片の左右方向には立脚部材となる立脚用側片及び立脚用連結片、上下方向には物品保持部材の厚みを形成するフィルム保持側片及びフィルム貼着裏片を各々連続形成し、該立脚部材を物品保持部材に対して直交方向へ折り曲げ形成するための折曲部の両端縁と該フィルム保持側片と立脚用連結片との交差する箇所に略菱形形状の切欠部を設けた緩衝用物品保持内箱を特徴とする。
【０００８】
また、フィルム保持中央片の上下方向に連続するフィルム保持側片及びフィルム貼着裏片を、その各々の折曲部をコ字型形状に折り曲げることによりフィルム保持中央片の裏面側に補強兼物品緩衝空間を構成してなる緩衝用物品保持内箱を特徴とする。
【０００９】
更に、立脚部材となる左右の立脚用側片の各々の先端部に、外箱内側の底面及び壁下面と接する支持片を折曲部を介して連続形成してなる緩衝用物品保持内箱を特徴とする。
【００１０】
また、立脚部材となる左右の立脚用側片の横幅を、先端側を長く、フィルム保持中央片側を短くし、全体を台形形状とした緩衝用物品保持内箱を特徴とする。
【００１１】
更に、立脚部材となる左右の立脚用側片に連続形成した立脚用連結片に補強裏片を設け、該立脚用側片、立脚用連結片及び補強裏片を折曲部によりコ字型形状に折り曲げることにより立脚部材を補強形成してなる緩衝用物品保持内箱を特徴とする。
【００１２】
また、可撓性フィルム部材は、その両端部を各々のフィルム貼着裏片において貼着してなる緩衝用物品保持内箱を特徴とする。
【考案の効果】
【００１３】
本考案の緩衝用物品保持内箱は、１枚の段ボール紙を所定形状に切断し、数箇所に折曲部と切欠部を設けることにより物品保持部材及びその立脚部材を強度のある立体的形状の内箱を形成することができると同時に、上記段ボール紙片と可撓性フィルム部材間に保持した物品を保持する内箱に対して外箱を通じて外部から衝撃が加わっても、その衝撃を上記立体的に形成した段ボール紙片及び可撓性フィルムによって吸収することができる物品保持手段を得ることが可能となった。
【００１４】
また、本考案の緩衝用物品保持内箱は、物品保持部材及び立脚部材の形状により外箱に強固に固定することができ、該内箱が外箱内でがたつくおそれがなく、従って、物品を安定的に保持しながら搬送移動させることが可能となった。
【００１５】
更に、上記緩衝用物品保持内箱は、段ボール紙の平面状の状態のものから物品を保持することのできる立体形状へとすばやく組み立てることができ、また、使用後の物品を取り除いた立体形状の状態から元の平面状へと戻すことが簡単にでき、従って、かさばることなく積層して再利用場所へ搬送でき、合理的に反復使用することが可能となった。
【考案を実施するための最良の形態】
【００１６】
以下、図面を参考に本考案を実施するための最良の形態についてその実施例を説明する。
【実施例１】
【００１７】
図１、図２は、本考案に係る緩衝用物品保持内箱を実施するための最良の形態を示す展開平面図、図３乃至５は、平面状のものから緩衝用物品保持内箱へと組み立てる過程を示す正面図、裏面図及び側面図、そして図６は、組み立てて物品を保持している緩衝用物品保持内箱を外箱内に納めた状態を示す側断面図である。。
【００１８】
１は緩衝用物品保持内箱を示しているが、該緩衝用物品保持内箱１は、物品保持部材、立脚部材及び可撓性フィルム部材とより構成され、該物品保持部材は、フィルム保持中央片２、該フィルム保持中央片２の展開平面図上での上下方向に各々設けた折曲部３、３´を介して連続形成しているフィルム保持側片４、４´、該各々のフィルム保持側片４、４´の更に上下方向に各々折曲部５、５´を介して外方へ連続形成しているフィルム貼着裏片６、６´とより形成している。なお、以下、便宜上、展開平面図での上下を上下方向、その左右を左右方向、裏側を裏側方向及び表側を表側方向と表現する。
【００１９】
他方、立脚部材は、上記フィルム保持中央片２の各々の左右方向に形成した折曲部７、７´、該折曲部７、７´より裏側方向へ折り曲げられる折り曲げ片８、８´、該折り曲げ片８、８´の外方側の折曲部９、９´、該折り曲げ片８、８´と対向する位置へ該折曲部９、９´から表側方向へ折り曲げられる折り曲げ片１０、１０´、該折り曲げ片１０、１０´の外方側の折曲部１１、１１´、該折曲部１１、１１´より裏側方向へ折り曲げられる立脚用側片１２、１２´、該立脚用側片１２、１２´の外方側の折曲部１３、１３´を介して外箱Ｐの内側の底面及び壁下面と接して押圧される支持片１４、１４´、上記各部材の補強となる上記フィルム貼着裏片６、６´の各々の左右方向に設けた折曲部１５、１５、１５´、１５´を介して立脚用側片１２、１２´の裏側を形成する補強裏片１６、１６、１６´、１６´、上記立脚用側片１２、１２´と補強裏片１６、１６、１６´、１６´とを各々折り曲げ形成する立脚用側片１２、１２´の両端部の折曲部１７、１７、１７´、１７´及び補強裏片１６、１６、１６´、１６´の一方端の折曲部１８、１８、１８´、１８´とによって形成される三角形状の立脚用連結片１９、１９、１９´、１９´とより構成している。
【００２０】
また、該立脚部材は、組み立てるときに該物品保持部材と該立脚部材とが重なることなく略直角方向に折り曲げ成形することを可能とするために折曲部９、９´の両端縁と該フィルム保持側片４、４´と立脚用連結片１９、１９、１９´、１９´との交差する箇所に略菱形形状の切欠部２０、２０、２０´、２０´を打ち抜き形成する。
【００２１】
上記フィルム部材は、フィルム貼着裏片６、６´にその両端部のみを貼着し、フィルム保持中央片２上を巻き付けるようにして可撓性フィルム２１で被覆して構成している。該フィルム保持中央片２と可撓性フィルム２１間を物品保持のための空間として形成している。
【００２２】
図１及び図２に示すように、段ボール紙片を上記各片及び折曲部並びに切欠部等を所定の位置で所定の大きさに切断、折り目及び打ち抜き形成した後、図２に示すように、可撓性フィルム２１の裏面側の一端をフィルム貼着裏片６に固定し、フィルム保持中央片２の前面を巻くようにして被覆し、その他端を他方のフィルム貼着裏片６´に固定している。従って、フィルム保持中央片２、フィルム保持側片４、４´及びフィルム貼着裏片６の該フィルム保持側片４、４´側の一部の表面を可撓性フィルム２１が非貼着状態で覆うことになる。
【００２３】
図３乃至図５は、緩衝用物品保持内箱１を完成させる途中過程を示したもので、図３は、フィルム保持中央片２の上下位置の各々対向する折曲部３、３´を裏側方向へ折り曲げ、更に、フィルム保持側片４、４´の上下方向の他端側の折曲部５、５´を折り曲げてフィルム貼着裏片をフィルム保持中央片２の裏側位置へ折り返してコ字型形状に折り曲げ形成している。該フィルム貼着裏片６、６´は各々上記フィルム保持中央片２の上下方向の１／２幅としているので、その端縁部２２、２２´相互は図４に示すように当接することになり、コ字型形状により囲まれた所定厚となる空間Ｓを形成する。
【００２４】
上記折曲部３、３´及び折曲部５、５´からフィルム保持側片４、４´とフィルム貼着裏片６、６´とを裏側方向へ折り曲げることにより、該フィルム保持側片４、４´及びフィルム貼着裏片６、６´の左右方向に連続形成した立脚用連結片１９、１９、１９´、１９´並びに補強裏片１６、１６、１６´、１６´も各々折曲部１７、１７、１７´、１７´及び折曲部１８、１８、１８´、１８´から裏側方向へ折り曲げられることになる。
【００２５】
上記立脚用連結片１９、１９、１９´、１９´は、立脚部材の各々の側片を形成する三角形状の側部となり、補強裏片１６、１６´はその端縁部２３、２３、２３´、２３´相互が当接する位置に折り曲げられる。従って、立脚部材は、立脚用側片１２、１２´、その両側の立脚用連結片１９、１９、１９´、１９´及び裏側方向へ折り曲げられた補強裏片１６、１６、１６´、１６´とよりなるコ字型形状により囲まれた強度のある上端側が厚くなる空間Ｓ´を有する立体的な側壁状部材を形成することになる。
【００２６】
上記図２に示した状態或いは図３乃至５に示した状態において、物品Ｗをフィルム保持中央片２の表面側と可撓性フィルム２１の内側との間に配置固定する。該物品Ｗは、可撓性フィルム２１によりフィルム保持中央片２側へ押し付けられるようにして挟持状態で保持されることになる。該フィルム保持中央片２は、段ボール紙よりなるのでそれ自体にある程度の弾力性を有しており、且つ上記したようにその裏側に立体形成した空間Ｓが形成されているので、可撓性フィルム２１により押さえ付けられた物品Ｗがその裏側方向となる該フィルム保持中央片２側を押し付けても、その押圧力を該フィルム保持中央片２が空間Ｓ内方向へ変形することで対応することが可能となる。従って、両者間に配置された物品Ｗは、当該箇所に弾力的に強固に固定されることになる。
【００２７】
特に、フィルム保持中央片２の裏側は箱形形状とした所定厚の空間Ｓを形成しているので、フィルム保持中央片２の表面に配設された物品Ｗが振動や衝撃によりフィルム保持中央片２側へ押されても、その変形は空間Ｓ側で吸収できることになり、外箱からの振動や衝撃が直接そのまま物品へ伝わることがない。
【００２８】
また、フィルム保持中央片２の左右方向一方側の折曲部７、折り曲げ片８、折曲部９、９、折り曲げ片１０及び折曲部１１及び同じく他方側の折曲部７´、折り曲げ片８´、折曲部９´、折り曲げ片１０´及び折曲部１１´は、上記折曲部９、９´を稜線とし、折り曲げ片８、８´及び１０、１０´を傾斜面として山形状に裏側方向へ折曲し、該折り曲げ片８と１０及び折り曲げ片８´と１０´との面相互が対向接触するように折り曲げていくことにより、各々の立脚用側片１２、１２´を該フィルム保持中央片２に対し略直角方向に折り曲げることが可能となる。
【００２９】
上記折曲部９、９´の上下方向の各々の両端側で、折曲部３、３´と折曲部１７、１７、１７´、１７´と交差する端部位置には菱形形状の切欠部２０、２０、２０´、２０´を打ち抜き形成している。従って、その一頂部２４、２４、２４´、２４´は折曲部９、９´の該両端側に位置し、その対向する頂部２５、２５、２５´、２５´は折曲部１５、１５´の端部に位置し、更に、他の２箇所の頂部は各々折曲部３、３´及び折曲部１７、１７、１７´、１７´の一端部に位置するように形成している。
【００３０】
また、上記した切欠部２０、２０、２０´、２０´は、略菱形形状に打ち抜き形成しているが、折曲部９、９´を裏側方向へ折り曲げたとき、該頂部２４、２４、２４´、２４´が対向する該頂部２５、２５、２５´、２５´と当接することなく該頂部２５、２５、２５´、２５´の内側に位置するように折り曲げることを可能とするため、菱形形状の折曲部９、９´側の頂部２４、２４、２４´、２４´の山形形状を頂部２５、２５、２５´、２５´側の山形形状より緩傾斜となるように形成している。これにより折曲部９、９´において立脚用側片１２、１２´をスムーズに略直角方向へ折り曲げることが可能となる。
【００３１】
上記のように、折曲部９、９´を裏側方向へ折り曲げることにより図６に示すように全体が断面略コ字型形状となる緩衝用物品保持内箱が完成し、その状態で外箱Ｐへ挿入配置することが可能となる。
【００３２】
図３に示すように、立脚用側片１２、１２´の先端側となる左右方向に折曲部１３、１３´を介して支持片１４、１４´が連続形成され、該支持片１４、１４´は外箱Ｐの内側の底面及び壁下面と接する位置に配設されるように外方へ折り曲げられ、支持片１４、１４´の幅、図６での奥行方向となる幅Ｈは、該外箱Ｐの奥行方向の内寸法とほぼ同一寸法とされる。
【００３３】
該立脚用側片１２、１２´のフィルム保持中央片２側に位置する折曲部１１、１１´の幅Ｋを上記支持片１４側の幅Ｈより短くし、立脚用側片１２、１２´の平面形状を台形形状とすることにより、支持片１４、１４´と外箱Ｐとの当接面が外箱Ｐの底面及び壁下面側となる立脚用側片１２、１２´の先端側のみとなり、当該緩衝用物品保持内箱１を外箱Ｐに挿入配置し易く且つ固定状態も良好とすることができる。
【００３４】
また、外箱Ｐに緩衝用物品保持内箱１を挿入することにより、支持片１４、１４´は折曲部１３、１３´より外方側へ折り曲げられ、その先端部２６、２６´が該外箱Ｐの壁下面に当接することになるので、該立脚部材は立脚用側片１２、１２´相互が近接する方向へ強制的に押圧され、緩衝用物品保持内箱１の底部側の間隔Ｍを狭くしている。
【００３５】
上記立脚部材の先端部が外箱Ｐにより内側へ強く押圧されていることにより該緩衝用物品保持内箱１の立脚部材は外側方向へ開こうとする力が常に作用していることになり、該内箱１は強固に外箱Ｐに固定されることになる。従って、搬送移動時に該外箱Ｐに外力がかかっても、その内側の緩衝用物品保持内箱１は物品Ｗとともに強固に保持されている状態を保持することが可能となる。
【図面の簡単な説明】
【００３６】
【図１】本考案の緩衝用物品保持内箱の展開平面図。
【図２】本考案の緩衝用物品保持内箱のフィルム貼着部分を示した展開平面図。
【図３】本考案の緩衝用物品保持内箱の平面状態から折り曲げて立体形状となる過程を示した平面図。
【図４】図３の裏面図。
【図５】図３、４の側面図。
【図６】本考案の緩衝用物品保持内箱を物品を保持した状態で外箱に収納した側断面図。
【図７】従来の緩衝用物品保持内箱の状態を示す断面図。
【符号の説明】
【００３７】
１          緩衝用物品保持内箱
２          フィルム保持中央片
３、３´    折曲部
４、４´    フィルム保持側片
５、５´    折曲部
６、６´    フィルム貼着裏片
７、７´    折曲部
８、８´    折り曲げ片
９、９´    折曲部
１０、１０´  折り曲げ片
１１、１１´  折曲部
１２、１２´  立脚用側片
１３、１３´  折曲部
１４、１４´  支持片
１５、１５´  折曲部
１６、１６´  補強裏片
１７、１７´  折曲部
１８、１８´  折曲部
１９、１９´  立脚用連結片
２０、２０´  切欠部
２１          可撓性フィルム
２２、２２´  端縁部
２３、２３´  端縁部
２４、２４´  頂部
２５、２５´  頂部
２６、２６´  先端部
【図１】
0003133815.tif 000003
【図２】
0003133815.tif 000004
【図３】
0003133815.tif 000005
【図４】
0003133815.tif 000006
【図５】
0003133815.tif 000007
【図６】
0003133815.tif 000008
【図７】
0003133815.tif 000009